(57)【特許請求の範囲】
【請求項１】
冷媒を、圧縮機、冷媒−空気熱交換器、膨張弁および冷媒−循環液熱交換器の順で循環させることによって冷凍サイクルを実行する冷媒回路と、前記冷媒−循環液熱交換器での熱交換によって冷却される循環液を循環させる循環液回路とを備え、前記循環液回路に循環ポンプを設けたヒートポンプ式チラーにおいて、
当該ヒートポンプ式チラーの起動時には、前記循環ポンプの給電回路をオンした後、当該ヒートポンプ式チラーの制御部が、所定時間内に上記循環液回路が正常運転されていることを示す所定信号を受信した場合に、前記圧縮機を起動し、
前記制御部が、前記所定時間内に前記所定信号を受信しない場合には、前記循環ポンプの給電回路をオフすると共に、前記圧縮機の起動を中止するものであり、
前記所定信号とは、
（１）循環ポンプが正常に駆動していることを示す信号、
（２）循環液の温度監視を行っているセンサがオンとなっていることを示す信号、および
（３）循環ポンプが過負荷状態となっていないことを示す信号
であり、
前記所定時間内に前記所定信号の何れか一つでも受信しない場合には、前記循環ポンプの給電回路をオフすると共に、前記圧縮機の起動を中止することを特徴とするヒートポンプ式チラー。
【請求項２】
冷媒を、圧縮機、冷媒−空気熱交換器、膨張弁および冷媒−循環液熱交換器の順で循環させることによって冷凍サイクルを実行する冷媒回路と、前記冷媒−循環液熱交換器での熱交換によって冷却される循環液を循環させる循環液回路とを備え、前記循環液回路に循環ポンプを設けたヒートポンプ式チラーにおいて、
当該ヒートポンプ式チラーの起動時には、前記循環ポンプの給電回路をオンした後、当該ヒートポンプ式チラーの制御部が、所定時間内に上記循環液回路が正常運転されていることを示す所定信号を受信した場合に、前記圧縮機を起動し、
前記制御部が、前記所定時間内に前記所定信号を受信しない場合には、前記循環ポンプの給電回路をオフすると共に、前記圧縮機の起動を中止するものであり、
前記循環液回路における循環液の流れを検知してオンとなるフロースイッチと、前記循環ポンプが所定温度以上になった場合にオフとなるサーマルリレーとを設け、
前記循環液回路における循環液の蒸発器入口部、蒸発器出口部および蒸発器表面部にそれぞれ温度センサを設け、
前記制御部が、前記フロースイッチまたは前記サーマルリレーの何れか一つでもオフとなったことを検出した場合には、前記循環ポンプの給電回路をオフすると共に、前記圧縮機を停止し、
前記３つの温度センサによる検知温度のいずれか一つが所定温度以下であることを検知した場合には、前記循環ポンプの給電回路のオンを維持しながら、前記圧縮機を停止することを特徴とするヒートポンプ式チラー。
【発明の詳細な説明】
【技術分野】
【０００１】
本発明は、冷凍サイクルを循環する冷媒との熱交換によって被冷却液の冷却を行うヒートポンプ式チラーに関する。
【背景技術】
【０００２】
従来のヒートポンプ式チラーとして、特許文献１は、冷凍機を用いたチラーの凍結防止のために、図５に示す構成を開示している。特許文献１のチラーは、圧縮機５０１、凝縮器５０２、膨張弁５０３および蒸発器５０４にて冷凍サイクルを実行し、該サイクルを循環する冷媒との熱交換によって被冷却液の冷却を行っている。尚、非冷却液は、蒸発器（熱交換器）５０４と冷水タンク５１０との間の閉回路を、循環ポンプ５２０によって循環させられる。
【０００３】
特許文献１のチラーでは、膨張弁５０３の一次側に液電磁弁５０５を設け、起動時には、液電磁弁５０５の一次側の温度を第１温度センサ５０６で監視している。そして、第１温度センサ５０６での検出温度が第一設定値以下の場合は、液電磁弁５０５を閉じたままでバイパス弁５０７を開いて、圧縮機５０１から吐出される冷媒を膨張弁５０３の二次側にバイパスする。このように冷媒をバイパスすることにより、冷媒は冷凍サイクルを循環せず、蒸発器（熱交換器）５０４における冷水タンク５１０からの循環水（被冷却液）の凍結を防止することができる。
【先行技術文献】
【特許文献】
【０００４】
【特許文献１】特許第５０９８４７２号公報
【発明の概要】
【発明が解決しようとする課題】
【０００５】
しかしながら、上記特許文献１の構成では、循環ポンプ５２０の駆動確認を行わないで圧縮機５０１を駆動する構成である。このため、循環ポンプ５２０に不具合が生じて循環水の循環が生じていない場合等には、蒸発器（熱交換器）５０４において循環水が凍結するおそれがある。
【０００６】
本発明は、循環ポンプに不具合が生じている場合や、不具合を生じる可能性がある場合等においても、被冷却液の凍結防止を図ることができるヒートポンプ式チラーを提供することを目的とする。
【課題を解決するための手段】
【０００７】
上記目的を達成するために、本発明に係るヒートポンプ式チラーは、冷媒を、圧縮機、冷媒−空気熱交換器、膨張弁および冷媒−循環液熱交換器の順で循環させることによって冷凍サイクルを実行する冷媒回路と、前記冷媒−循環液熱交換器での熱交換によって冷却される循環液を循環させる循環液回路とを備え、前記循環液回路に循環ポンプを設けたヒートポンプ式チラーにおいて、当該ヒートポンプ式チラーの起動時には、前記循環ポンプの給電回路をオンした後、当該ヒートポンプ式チラーの制御部が、所定時間内に上記循環液回路が正常運転されていることを示す所定信号を受信した場合に、前記圧縮機を起動し、前記制御部が、前記所定時間内に前記所定信号を受信しない場合には、前記循環ポンプの給電回路をオフすると共に、前記圧縮機の起動を中止することを特徴としている。
【０００８】
上記の構成によれば、所定信号に受信によって循環ポンプの駆動が継続可能であることを確認できない限り、冷媒回路の圧縮機を起動しないので、冷媒−循環液熱交換器内で循環液が停滞することによる循環液の凍結等を防止できる。
【０００９】
また、上記ヒートポンプ式チラーにおいては、前記所定信号とは、
（１）循環ポンプが正常に駆動していることを示す信号、
（２）循環液の温度監視が正常に行えていることを示す信号、および
（３）循環ポンプが過負荷状態となっていないことを示す信号
であり、前記所定時間内に前記所定信号の何れか一つでも受信しない場合には、前記循環ポンプの給電回路をオフすると共に、前記圧縮機の起動を中止する構成とすることができる。
【００１０】
上記の構成によれば、（１）の信号を確認することで、循環液の停滞による凍結を防止できる。また、（２）の信号を確認することで、循環液の温度監視を行えず、循環液の過冷却が生じて凍結が発生することを防止できる。また、（３）の信号を確認することで、循環ポンプの過負荷による循環液の循環不良による凍結を防止できる。
【００１１】
また、上記ヒートポンプ式チラーにおいては、前記循環液回路における循環液の流れを検知してオンとなるフロースイッチと、前記循環ポンプが所定温度以上になった場合にオフとなるサーマルリレーとを設け、前記循環液回路における循環液の蒸発器入口部、蒸発器出口部および蒸発器表面部にそれぞれ温度センサを設け、前記制御部が、前記フロースイッチまたは前記サーマルリレーの何れか一つでもオフとなったことを検出した場合には、前記循環ポンプの給電回路をオフすると共に、前記圧縮機を停止し、前記３つの温度センサによる検知温度のいずれか一つが所定温度以下であることを検知した場合には、前記循環ポンプの給電回路のオンを維持しながら、前記圧縮機を停止する構成とすることができる。
【００１２】
上記の構成によれば、循環液の流れが検知できなくなった場合または循環ポンプの過負荷に相当する状態を検知した場合は圧縮機および循環ポンプを停止し、循環液の凍結間近に相当する状態を検知した場合は圧縮機を停止しながら循環ポンプの駆動を維持するので冷媒−循環液熱交換器での循環液の凍結をさらに確実に防止できる。
【発明の効果】
【００１３】
本発明のヒートポンプ式チラーは、所定信号に受信によって循環ポンプの駆動が継続可能であることを確認できない限り、冷媒回路の圧縮機を起動しない。このため、循環ポンプに不具合が生じている場合や、不具合を生じる可能性がある場合等において、循環液の凍結防止を図ることができるといった効果を奏する。
【図面の簡単な説明】
【００１４】
【図１】本実施の形態に係るヒートポンプ式チラーの概略構成を示すブロック図である。
【図２】本実施の形態に係るヒートポンプ式チラーにおけるインターロック機構の回路図である。
【図３】本実施の形態に係るヒートポンプ式チラーの起動シーケンスを示すタイムチャートである。
【図４】本実施の形態に係るヒートポンプ式チラーの運転中の動作テーブルである。
【図５】従来のヒートポンプ式チラーの概略構成を示すブロック図である。
【発明を実施するための形態】
【００１５】
以下、本発明に係る実施の形態について図面を参照しながら説明する。図１は、本実施の形態に係るヒートポンプ式チラー（以下、単にチラーと称する）１００の概略構成を示すブロック図である。チラー１００は、大略的に、冷媒を流通させる冷媒回路１１０と、循環液とを流通させる循環液回路２００とを備えている。また、制御装置（制御部）１４０は、チラー１００全体の動作を制御する。
【００１６】
冷媒回路１１０は、圧縮機１０、冷媒−空気熱交換器２０、膨張弁４０および冷媒−循環液熱交換器５０を備えて構成されている。チラー１００は、冷媒を圧縮機１０、冷媒−空気熱交換器２０、膨張弁４０、冷媒−循環液熱交換器５０の順で循環させることによって冷凍サイクルを実行している。そして、チラー１００は、冷媒−循環液熱交換器５０での熱交換（循環液と冷媒との間での熱交換）によって循環液の冷却を行う（冷却運転）。
【００１７】
冷媒回路１１０において、圧縮機１０は、吸入した冷媒を圧縮して吐出する。冷媒−空気熱交換器２０は、冷媒と空気（具体的には外気）との間で熱交換させる。膨張弁４０は、圧縮機１０で圧縮した冷媒を膨張させる。冷媒−循環液熱交換器５０は、循環液と冷媒との間で熱交換させる。圧縮機１０は、複数台の圧縮機を並列に接続したものであってもよく、同様に、冷媒−空気熱交換器２０は、複数台の冷媒−空気熱交換器を並列に接続したものであってもよい。
【００１８】
膨張弁４０は、制御装置１４０からの指示信号により開度を調整できるようになっている。これにより、膨張弁４０は、冷媒回路１１０における冷媒の循環量を調整することができる。詳しくは、膨張弁４０は、閉塞可能な複数の膨張弁を並列に接続したものとされている。こうすることで、膨張弁４０は、開放する膨張弁を組み合わせて冷媒回路１１０における冷媒の循環量を調整することができる。
【００１９】
図１に示すチラー１００において、冷媒−空気熱交換器用ファン３０は、冷媒−空気熱交換器２０での熱交換を効率よく行うために設けられている。エンジン６０は、圧縮機１０を駆動する駆動源として設けられている。但し、本発明において、圧縮機１０を駆動する駆動源はエンジンに限定されるものではなく、他の駆動原（例えば、モータ）を用いてもよい。
【００２０】
本実施の形態に係るチラー１００は、冷却運転以外に、加熱運転を実行できる構成となっている。このため、チラー１００は、圧縮機１０の冷媒吐出側に四方弁１１１を備えると共に、ブリッジ回路１１２を備えている。
【００２１】
四方弁１１１は、制御装置１４０からの指示信号により、冷却運転時と加熱運転時とで冷媒の流れ方向を切り替える。すなわち、冷却運転時には、流入口（図１中の下側）と一方の接続口（図１中の左側）とを接続し、かつ、他方の接続口（図１中の右側）と流出口（図１中の上側）とを接続する（図１に示す実線経路）。また、加熱運転時には、流入口（図１中の下側）と他方の接続口（図１中の右側）とを接続し、かつ、一方の接続口（図１中の左側）と流出口（図１中の上側）とを接続する（図１に示す破線経路）。
【００２２】
ブリッジ回路１１２は、冷却運転時と加熱運転時とで冷媒の流れ方向が自動的に切り替わるものである。ブリッジ回路１１２は、４つの逆止弁（第１逆止弁１１２ａ、第２逆止弁１１２ｂ、第３逆止弁１１２ｃおよび第４逆止弁１１２ｄ）を備えている。第１逆止弁１１２ａおよび第２逆止弁１１２ｂは、冷媒の流れる方向が同じになるように直列に接続され、第１逆止弁列を構成している。第３逆止弁１１２ｃおよび第４逆止弁１１２ｄは、冷媒の流れる方向が同じになるように直列に接続され、第２逆止弁列を構成している。そして、第１逆止弁列および第２逆止弁列は、冷媒の流れる方向が同じになるように並列に接続されている。
【００２３】
ブリッジ回路１１２においては、第１逆止弁１１２ａと第２逆止弁１１２ｂとの間の接続点が第１中間接続点Ｐ１とされ、第１逆止弁１１２ａと第３逆止弁１１２ｃとの間の接続点が流出接続点Ｐ２とされ、第３逆止弁１１２ｃと第４逆止弁１１２ｄとの間の接続点が第２中間接続点Ｐ３とされ、第２逆止弁１１２ｂと第４逆止弁１１２ｄとの間の接続点が流入接続点Ｐ４とされている。
【００２４】
チラー１００の冷却運転時には、冷媒の流れ経路は、圧縮機１０、四方弁１１１、冷媒−空気熱交換器２０、ブリッジ回路１１２（Ｐ１からＰ２）、膨張弁４０、ブリッジ回路１１２（Ｐ４からＰ３）、冷媒−循環液熱交換器５０、四方弁１１１、圧縮機１０となり、冷凍サイクルを実行する。また、チラー１００の加熱運転時には、冷媒の流れ経路は、圧縮機１０、四方弁１１１、冷媒−循環液熱交換器５０、ブリッジ回路１１２（Ｐ３からＰ２）、膨張弁４０、ブリッジ回路１１２（Ｐ４からＰ１）、冷媒−空気熱交換器２０、四方弁１１１、圧縮機１０となり、加熱サイクルを実行する。
【００２５】
本実施の形態では、チラー１００は、オイルセパレータ８１、アキュムレータ８２およびレシーバ８３をさらに備えている。オイルセパレータ８１は、冷媒に含有する圧縮機１０の潤滑油を分離し、かつ分離した潤滑油を圧縮機１０に戻す。アキュムレータ８２は、蒸発器として作用する冷媒−循環液熱交換器５０または蒸発器として作用する冷媒−空気熱交換器２０で蒸発し切れなかった冷媒液を分離する。レシーバ８３は、ブリッジ回路１１２からの高圧液冷媒を一時的に蓄える。
【００２６】
本実施の形態に係るチラー１００は、四方弁１１１とブリッジ回路１１２とを備えることによって、冷却運転と加熱運転とを切替可能な構成となっているが、本発明は冷却運転時の動作に特徴を有するものである。このため、本発明は、冷却運転のみを実施可能なチラーに対しても適用可能である。
【００２７】
続いて、循環液回路２００について説明する。循環液回路２００を流れる循環液は、冷却運転時には、冷媒−循環液熱交換器５０における熱交換によって冷却される被冷却液となる。また、加熱運転時には、冷媒−循環液熱交換器５０における熱交換によって加熱される被加熱液となる。上記循環液は、例えば、建物の空調システムにて利用される冷水や温水として使用される。上記循環液には例えば水が使用されるが、本発明はこれに限定されるものではなく、水に不凍剤等を混入した溶液であっても良い。
【００２８】
循環液回路２００は、流入管２１１と流出管２１２と循環ポンプ３００とを備えて構成されている。循環液は、流入管２１１を介して冷媒−循環液熱交換器５０に導入され、冷媒−循環液熱交換器５０において温度を調節される。温度調節された循環液は、流出管２１２を介してチラー１００から排出される。尚、チラー１００に含まれる循環液回路２００は、基本的には、循環液が流れる閉回路の一部のみを形成するものである。すなわち、本実施の形態に係るチラー１００を建物の空調システムに利用する場合には、空調システム側の循環液回路とチラー１００側の循環液回路２００とが接続されて閉回路をなし、この閉回路内を循環液が流れる。循環ポンプ３００は、上記閉回路内で循環液を循環させるためのポンプである。図１に示す構成では、循環ポンプ３００は流出管２１２に設けられているが、流入管２１１に設けられていても良い。
【００２９】
本実施の形態に係るチラー１００は、冷却運転時における循環液の凍結防止を図るために、流入循環液温度センサＴＷＲ、流出循環液温度センサＴＷＬ、熱交換器表面温度センサＴＷＳおよび圧力センサＰＬを備えている。
【００３０】
流入循環液温度センサＴＷＲは、流入管２１１に設けられており、冷媒−循環液熱交換器５０に流入する循環液（具体的には流入管２１１内の循環液）の温度を検出する。流出循環液温度センサＴＷＬは、流出管２１２に設けられており、冷媒−循環液熱交換器５０から流出する循環液（具体的には流出管２１２内の循環液）の温度を検出する。熱交換器表面温度センサＴＷＳは、冷媒−循環液熱交換器５０の表面に設けられ、該表面温度を検出する。圧力センサＰＬは、圧縮機１０の冷媒吸入経路に設けられ、冷媒−循環液熱交換器５０から流出する冷媒の圧力を検出する。尚、圧力センサＰＬによって検出される圧力からは、冷媒−循環液熱交換器５０から流出する冷媒の冷媒蒸発温度が求められる。
【００３１】
制御装置１４０は、冷却運転時における循環液の凍結防止を図るために、各種センサからの検知信号に基づいて以下の制御を行う。具体的には、流入循環液温度センサＴＷＲ、流出循環液温度センサＴＷＬおよび熱交換器表面温度センサＴＷＳの何れかによる検知温度、または、圧力センサＰＬの検知圧力から換算される冷媒蒸発温度が所定温度(例えば２℃)以下であることを検知した場合に、圧縮機１０を停止すると共に、循環ポンプ３００を動作させる。
【００３２】
すなわち、上記４つの温度の何れか一つでも所定温度(例えば２℃)以下であることを検知した場合には、そのまま冷却運転を実行し続けると循環液の凍結の虞があると判断され、これを防止するための制御が実行される。具体的には、圧縮機１０を停止することで冷媒回路１１０の冷凍サイクルを停止させ、さらに、循環ポンプ３００を動作させることで、循環液回路２００内の循環液を凍結させにくくする。
【００３３】
尚、流入循環液温度センサＴＷＲ、流出循環液温度センサＴＷＬ、熱交換器表面温度センサＴＷＳおよび圧力センサＰＬの４つのセンサは、寒冷時等における冷媒の過冷却による凍結を防止するものであって、本発明における凍結防止機能（後述するインターロック機構による凍結防止）との直接の関係は無い。また、これらのセンサは必ずしも上記４つの全てを備える必要はない。
【００３４】
本実施の形態に係るチラー１００の冷却運転時は、循環ポンプ３００は必ず駆動される必要がある。循環ポンプ３００に不具合が生じて該ポンプが停止した場合、その状態で圧縮機１０を駆動し続けると、冷媒−循環液熱交換器５０内に停滞する循環液の過冷却が生じ、凍結が生じる虞がある。
【００３５】
本発明は、上記凍結を防止する点に特徴を有するものであり、凍結防止のためのインターロック機構を有している。このインターロック機構の構成について、図２を参照して以下に説明する。尚、ここでのインターロックとは、ある一定の条件が整わないと他の動作ができなくなるような機構のことである。本実施の形態では、チラー１００の起動時に、循環液回路２００の正常運転が確認されなければ圧縮機１０の起動ができないような構成としている。これにより、循環ポンプ３００の不具合等による循環液の凍結を防止するようになっている。
【００３６】
図２に示すように、インターロック機構は、コントローラ・電源部４００、制御ボックス４１０およびポンプユニット４２０を備えて構成されている。
【００３７】
コントローラ・電源部４００は、コントローラ基板４０１と２種類の電源（ＡＣ２３０Ｖ電源およびＡＣ２００Ｖ電源）を備えている。ここでは、ＡＣ２３０Ｖ電源は循環ポンプ３００の駆動電源として使用され、ＡＣ２００Ｖ電源はセンサ等の電源として使用されている。
【００３８】
制御ボックス４１０は、フロースイッチ４１１と、第１接続リレー４１２、第２接続リレー４１３および第３接続リレー４１４とを備えている。フロースイッチ４１１は、循環ポンプ３００が駆動されて循環液の流れが生じている場合に、この流れを検知してオンとなるスイッチである。すなわち、フロースイッチ４１１がオフである場合、循環ポンプ３００は駆動していないと判断される。第１接続リレー４１２は、循環液の温度監視を行っているセンサ（例えば、上述の流入循環液温度センサＴＷＲ）がオンとなっているときに導通状態とされるリレーである。尚、第１接続リレー４１２は、上記センサ（例えば、流入循環液温度センサＴＷＲ）が作動しているか否かに応じてオン／オフされるリレーであって、上記センサの検出温度によってオン／オフされるものではない。また、循環液の温度監視を行っているセンサが複数ある場合は、各センサに対応する第１接続リレー４１２も複数設けられる。第２接続リレー４１３および第３接続リレー４１４は、モータ３０１（循環ポンプ３００の駆動源）と直列に接続されており、これらが共に導通している場合に、モータ３０１への給電が行われる。
【００３９】
ポンプユニット４２０は、循環ポンプ３００の駆動源であるモータ３０１とサーマルリレー４２１を備えている。サーマルリレー４２１は、モータ３０１の温度を監視しており、該温度が所定温度以上となった場合にオフとなる。すなわち、サーマルリレー４２１がオフとなった場合には、循環ポンプ３００が過負荷状態であると判断される。
【００４０】
コントローラ基板４０１は、フロースイッチ４１１と第１接続リレー４１２とを直列に接続してなる閉回路に接続されており、この回路が導通している（この回路に電流が流れている）ことを検出した場合に、第２接続リレー４１３および第３接続リレー４１４を導通させる。すなわち、コントローラ基板４０１が、上記閉回路が導通していることを検出するのは、フロースイッチ４１１および第１接続リレー４１２が共に導通している場合である。尚、コントローラ基板４０１は、制御装置１４０の一部である。上記閉回路の導通が検出されなくなると、制御装置１４０は、第２接続リレー４１３および第３接続リレー４１４をオフとし、モータ３０１への給電を停止する。また、図２中に記載のＣＰは、過電流保護継電器である。
【００４１】
サーマルリレー４２１はＡＣ２００Ｖ電源と直列に接続されて閉回路を構成しており、サーマルリレー４２１がオフ（非導通）となった場合には、該閉回路に電流が流れなくなる。この電流は制御装置１４０にて監視されており、該電流が検出されなくなった場合（サーマルリレー４２１がオフとなった場合）も、制御装置１４０は、第２接続リレー４１３および第２接続リレー４１４をオフとし、モータ３０１への給電を停止する。
【００４２】
以上をまとめると、モータ３０１への給電（循環ポンプ３００の駆動）は、以下の３つの条件（ａ）〜（ｃ）の全てが満たされた場合に継続され、条件（ａ）〜（ｃ）の何れか一つでも満たされなくなるとモータ３０１への給電は停止される。
（ａ）フロースイッチ４１１がオンである（循環ポンプ３００が正常に駆動している）。
（ｂ）第１接続リレー４１２がオンである（循環液の温度監視が正常に行えている）。
（ｃ）サーマルリレー４２１がオンである（循環ポンプ３００が過負荷状態となっていない）。
【００４３】
すなわち、本実施の形態では、フロースイッチ４１１のオン信号、第１接続リレー４１２のオン信号、およびサーマルリレー４２１のオン信号が、特許請求の範囲に記載の循環液回路が正常運転されていることを示す所定信号に相当する。
【００４４】
また、図２において図示はされていないが、本発明のインターロック機構においては、条件（ａ）〜（ｃ）の何れか一つでも満たされなくなった場合、モータ３０１への給電が停止されると共に、圧縮機１０の起動も停止される。本実施の形態では、圧縮機１０の駆動源はエンジン６０であり、圧縮機１０の起動を停止するには、エンジン６０への燃料供給を調整するガスバルブを閉じる制御を行ったり、エンジン６０の起動前であればスタータへの給電を停止する制御を行ったりすることが考えられる。あるいは、圧縮機１０の駆動源がモータである場合には、該モータへの給電を停止する制御であっても良い。
【００４５】
続いて、本実施の形態に係るチラー１００の起動シーケンスを図３のタイムチャートを参照して説明する。尚、以下の説明では、循環液の温度監視を行っているセンサ（以下、単に温度センサと称する）として、流入循環液温度センサＴＷＲのみを例示する。
【００４６】
チラー１００を起動するには、冷媒を流通させる冷媒回路１１０と、循環液とを流通させる循環液回路２００との起動が必要である。このため、冷媒回路１１０を起動させるためにチラー運転信号をオンとし、循環液回路２００を起動させるためにポンプ運転信号をオンとする（時間Ｔ１）。また、時間Ｔ１において、正常状態であれば、温度センサの検出信号はオンであり、サーマルリレー４２１もオン状態である。尚、図３における温度センサの検知信号は、検出温度によってオン／オフされる信号であり、具体的には、検出温度が２℃以下の場合にオフとなり、２℃を超えている場合にオフとなる。
【００４７】
時間Ｔ１においてポンプ運転信号をオンとすることにより、循環ポンプ３００の駆動が開始され、循環液回路２００において循環液の流通が開始される。そして、この循環液の流通をフロースイッチ４１１が検知し、時間Ｔ２でフロースイッチ４１１がオンとなる。
【００４８】
一方、時間Ｔ１においてチラー運転信号をオンとしても、その時点でフロースイッチ４１１がオンとなっていないため、冷媒回路１１０はすぐには起動しない。時間Ｔ２でフロースイッチ４１１がオンとなると、冷媒回路１１０の起動シーケンスが開始される。
【００４９】
この起動シーケンスでは、最初に室外ファンが起動されてプレパージが行われる。上記室外ファンはチラー換気用のファンであるが、冷媒−空気熱交換器用ファン３０と兼用のファンであっても良い。このプレパージが終了すると、室外ファンのファン制御と冷却水ポンプ（エンジン６０の冷却水を循環させるためのポンプ）の駆動制御が開始される。その後、エンジン６０のスタータが駆動されて、時間Ｔ３でエンジン６０が起動する。すなわち、時間Ｔ３でのエンジン６０の起動によって、圧縮機１０の駆動（冷媒回路１１０の起動）が開始される。
【００５０】
チラー１００の冷却運転を行っている間に、上述した３つの条件（ａ）〜（ｃ）のうち一つでも満たされなくなった場合は、チラー１００の運転は停止される。すなわち、チラー運転信号およびポンプ運転信号をオフとし、循環液回路２００においては循環ポンプ３００を停止させ、冷媒回路１１０においてはエンジンの停止シーケンスを行って圧縮機１０を停止させる。また、上述したようなチラー１００の運転停止後、条件（ａ）〜（ｃ）が再び満たされると、起動時と同様のシーケンスによってチラー１００の運転が再開される。
【００５１】
尚、温度センサについては、その検出温度が所定温度（例えば２℃）以下となった場合には、圧縮機１０のみが停止され、循環ポンプ３００は停止されない。温度センサの検出温度が所定温度（例えば２℃）以下となった場合は、循環液温度が凍結温度に近づいていることを示すものであるため、循環液の流通を維持してその凍結を防止するためである。ここで、上記温度センサが複数ある場合、その検出温度が所定温度以下になるとは、温度センサの中の一つでも検出温度が所定温度以下になった場合を意味する。そして、その検出温度が所定温度を超えているとは、全ての温度センサの検出温度が所定温度を超えている場合を意味する。
【００５２】
以上の説明におけるチラー１００の運転中の動作をまとめると図４に示すものとなる。
【００５３】
まず、チラー１００の運転中にフロースイッチ４１１がオフとなった場合、循環ポンプ３００が正常に作動しておらず、そのままチラー１００を作動し続けると循環液の凍結が起こりうる。このため、ポンプ給電回路をオフすると共に圧縮機１０を停止させる。また、チラー１００の運転中にサーマルリレー４２１がオフとなった場合、循環ポンプ３００が過負荷状態であると判断されるので、この場合もポンプ給電回路をオフすると共に圧縮機１０を停止させる。
【００５４】
一方、フロースイッチ４１１およびサーマルリレー４２１が共にオンである場合でも、温度センサによる検出温度が２℃以下となった場合には、圧縮機１０のみを停止し、循環ポンプ３００は駆動を継続する。すなわち、フロースイッチ４１１およびサーマルリレー４２１が共にオンであり、温度センサによる検出温度が２℃を超えている場合のみ、チラー１００は正常に駆動される。
【００５５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００５６】
１０    圧縮機
２０    冷媒−空気熱交換器
３０    冷媒−空気熱交換器用ファン
４０    膨張弁
５０    冷媒−循環液熱交換器
６０    エンジン
１００    ヒートポンプ式チラー
１１０    冷媒回路
１４０    制御装置（制御部）
２００    循環液回路
３００    循環ポンプ
３０１    モータ
４００    コントローラ・電源部
４１０    制御ボックス
４１１    フロースイッチ
４１２    第１接続リレー
４１３    第２接続リレー
４１４    第１接続リレー
４２０    ポンプユニット
４２１    サーマルリレー
ＴＷＲ    流入循環液温度センサ
ＴＷＬ    流出循環液温度センサ
ＴＷＳ    熱交換器表面温度センサ
【図１】
0006342727.tif 000002
【図２】
0006342727.tif 000003
【図３】
0006342727.tif 000004
【図４】
0006342727.tif 000005
【図５】
0006342727.tif 000006